(57)【特許請求の範囲】
【請求項１】
外周面にねじ部が設けられた円柱状基体と、
前記円柱状基体のねじ部に螺合したねじ部を内周面に備え、かつ外周面にロープ巻回用溝が螺旋状に設けられ、前記円柱状基体の軸心と同軸上に配置された円筒状中空体と、
一端が前記円筒状中空体に固定され、前記円筒状中空体のロープ巻回用溝に沿って巻き付けられた第一の駆動用ロープと、
一端が前記円筒状中空体に固定され、巻き付け方向が前記第一の駆動用ロープと逆になるように前記円筒状中空体のロープ巻回用溝に沿って巻き付けられた第二の駆動用ロープと、を備え、
前記第一の駆動用ロープ及び前記第二の駆動用ロープのうちいずれか一方の駆動用ロープの他端が引張されて当該駆動用ロープのみがロープ巻回用溝から引き出されることに伴い、前記円筒状中空体が、前記円柱状基体の軸心を中心に正回転しつつ前記円柱状基体の軸心方向に沿って一方向へ移動し、
いずれか他方の駆動用ロープの他端が引張されて当該駆動用ロープのみがロープ巻回用溝から引き出されることに伴い、前記円筒状中空体が、前記軸心を中心に逆回転しつつ前記軸心方向に沿って他方向へ移動する
ことを特徴とするロープ駆動式進退ユニット。
【請求項２】
前記円筒状中空体における前記ねじ部のピッチと前記ロープ巻回用溝のピッチとが同じである
請求項１に記載のロープ駆動式進退ユニット。
【請求項３】
前記円筒状中空体を移動自在に覆った、前記円柱状基体に固定されている筐体をさらに備え、
前記筐体は、前記筐体の側壁を貫通する第一の貫通穴と第二の貫通穴とを有し、
前記第一の貫通穴は、前記第一の駆動用ロープが前記ロープ巻回用溝から離れる位置に対向して設けられ、
前記第二の貫通穴は、前記第二の駆動用ロープが前記ロープ巻回用溝から離れる位置に対向して設けられ、
前記第一の貫通穴を介して前記第一の駆動用ロープの他端が筐体の外に差し出され、前記第二の貫通穴を介して前記第二の駆動用ロープの他端が筐体の外に差し出されている
請求項２に記載のロープ駆動式進退ユニット。
【発明の詳細な説明】
【技術分野】
【０００１】
本発明は、ロープを用いて所要部材を進退移動させるロープ駆動式進退ユニットに関する。
【背景技術】
【０００２】
例えば特許文献１には、遠隔操作式排水弁装置が開示されている。さらに詳述すると、かかる構成は、自身の昇降により排水口の開閉を行う弁体と、弁体を開閉するために操作する操作部と、操作部から弁体まで連絡するレリースワイヤと、弁体の下面中心に垂下して構成される弁軸と、弁体の内周面に設けられた雌ねじと、弁軸内部に配置され雌ねじと螺合する雄ねじと、雄ねじの下端に接続されて弁軸に対して水平方向に配置される丸歯車状のピニオンと、レリースワイヤに設けられた平ギア状のラックと、からなる。
【０００３】
上記構成にあっては、レリースワイヤを構成するインナーワイヤが押し引きされることで平ギア状のラックが丸歯車状のピニオンを回転させ、ピニオンから雄ねじを介して弁軸の雌ねじへと回転が伝達され、弁体が昇降される。
【０００４】
また、例えば特許文献２には、自動車用パワーステアリング装置が開示されている。さらに詳述すると、かかる構成は、ハンドル側ドラムと舵取側ドラムに巻き付けられた２本のインナケーブルを備え、２本のインナケーブルの巻き付け方向が逆となるように各ドラムにインナケーブルの端末が固定されている。
【０００５】
そして上記構成にあっては、ハンドルを一方向に回転すると、インナケーブルが繰り出されて舵取側ドラムが一方向へ回転する。また、ハンドルを逆方向に回転すると同様に舵取側ドラムが逆方向へ回転する。
【先行技術文献】
【特許文献】
【０００６】
【特許文献１】特開２００７−２８４９９４号公報
【特許文献２】特開平１１−２９０５９号公報
【発明の概要】
【発明が解決しようとする課題】
【０００７】
しかしながら、上記特許文献１の遠隔操作式排水弁装置にあっては、インナーワイヤを押す操作が含まれるため、インナーワイヤは操作中に座屈しない程度の剛性が要求される。したがって、インナーワイヤを備えるレリースワイヤは自由に屈曲させたり湾曲させたりすることができなくなり、設計の自由度が著しく低下するという問題がある。また、平ギア状のラックが丸歯車状のピニオンを回転させる構成のため、ピニオンの回転量を多くしようとするとラックの長さが過剰に大きくなりすぎてしまい、装置全体が大型化してしまう問題がある。
【０００８】
また、上記特許文献２の自動車用パワーステアリング装置にあっては、インナケーブルを巻き取ることによってドラムが回転するため、ドラムを軸方向には移動させることができないという問題がある。
【０００９】
そこで本発明は、操作時の作業負担が軽減され、またコンパクトな構造を確保しつつ精度良く所要部材を進退移動させることができるロープ駆動式進退ユニットを提供することを目的とする。
【課題を解決するための手段】
【００１０】
本発明にかかるロープ駆動式進退ユニットは、外周面にねじ部が設けられた円柱状基体と、前記円柱状基体のねじ部に螺合したねじ部を内周面に備え、かつ外周面にロープ巻回用溝が螺旋状に設けられ、前記円柱状基体の軸心と同軸上に配置された円筒状中空体と、一端が前記円筒状中空体に固定され、前記円筒状中空体のロープ巻回用溝に沿って巻き付けられた第一の駆動用ロープと、一端が前記円筒状中空体に固定され、巻き付け方向が前記第一の駆動用ロープと逆になるように前記円筒状中空体のロープ巻回用溝に沿って巻き付けられた第二の駆動用ロープと、を備え、前記第一の駆動用ロープ及び前記第二の駆動用ロープのうちいずれか一方の駆動用ロープの他端が引張されて当該駆動用ロープのみがロープ巻回用溝から引き出されることに伴い、前記円筒状中空体が、前記円柱状基体の軸心を中心に正回転しつつ前記円柱状基体の軸心方向に沿って一方向へ移動し、いずれか他方の駆動用ロープの他端が引張されて当該駆動用ロープのみがロープ巻回用溝から引き出されることに伴い、前記円筒状中空体が、前記軸心を中心に逆回転しつつ前記軸心方向に沿って他方向へ移動することを特徴とする。
【００１１】
かかる構成にあっては、前記第一の駆動用ロープ又は前記第二の駆動用ロープのうちいずれか一方の駆動用ロープを前記円筒状中空体のロープ巻回用溝から引き出し始めると、円筒状中空体が円柱状基体の軸心回りに正方向に回動し始めると共に、他方の駆動用ロープがロープ巻回用溝に巻き込まれ始め、かつ、前記円筒状中空体が円柱状基体の軸心方向に沿って一方に移動開始する。逆に、他方の駆動用ロープを前記ロープ巻回用溝から引き出し始めると、円筒状中空体が円柱状基体の軸心回りに逆方向に回動し始めると共に、一方の駆動用ロープがロープ巻回用溝に巻き込まれ始め、かつ、前記円筒状中空体が円柱状基体の軸心方向に沿って逆方向に移動開始する。したがって、このような円筒状中空体の進退移動を、ロープの引き出し操作のみで実現することができる。さらに、第一の駆動用ロープと第二の駆動用ロープとの巻き付け量を調整することで、円筒状中空体の可動域を自在に変更することができる。また、第一の駆動用ロープ又は第二の駆動用ロープの引き出し量を微調整することで、円筒状中空体の進退移動量を精度良く制御することもできる。
【００１２】
加えて、上記構成にあっては、円筒状中空体と円柱状基体とが螺合している構造であるため、円筒状中空体が可動域の中途に位置した静止状態で仮に衝撃が軸心方向に付与された場合にも、かかる螺合構造の特性により、円筒状中空体は円柱状基体に対して軸心方向に位置ずれを起こし難い。したがって、上記構成は、円筒状中空体を所要位置に保持する位置決め効果が非常に高い構造を有している。
【００１３】
さらにまた、駆動用ロープは巻回自在とするような可撓性を十分に備えるものが使用できるため、ユニット全体として設計の自由度が高くなり、シンプルでコンパクトな構造とすることができる。
【００１４】
上記構成にあっては、前記円筒状中空体における前記ねじ部のピッチと前記ロープ巻回用溝のピッチとが同じであることが望ましい。
【００１５】
かかる構成とすることにより、円筒状中空体を進退させたときに各駆動用ロープがロープ巻回用溝から離れる位置を、円柱状基体に対して移動しない構成とすることができる。これにより、円筒状中空体の進退動作に関わらず、各駆動用ロープの引き出し位置を所要位置に固定させることが可能となる。
【００１６】
なお、前記ねじ部のピッチとは、前記円筒状中空体の軸心方向に繰り返し現れるねじ溝の間隔である。また、前記ロープ巻回用溝のピッチとは、同様に円筒状中空体の軸心方向に繰り返し現れるロープ巻回用溝の間隔である。
【００１７】
さらに、前記円筒状中空体を移動自在に覆った、前記円柱状基体に固定されている筐体をさらに備え、前記筐体は、前記筐体の側壁を貫通する第一の貫通穴と第二の貫通穴とを有し、前記第一の貫通穴は、前記第一の駆動用ロープが前記ロープ巻回用溝から離れる位置に対向して設けられ、前記第二の貫通穴は、前記第二の駆動用ロープが前記ロープ巻回用溝から離れる位置に対向して設けられ、前記第一の貫通穴を介して前記第一の駆動用ロープの他端が筐体の外に差し出され、前記第二の貫通穴を介して前記第二の駆動用ロープの他端が筐体の外に差し出されている構成としてもよい。
【００１８】
かかる構成にあっては、駆動用ロープが引き出される位置が、前記円柱状基体を基準にして位置固定されて移動しないため、ロープ巻回用溝から引き出される駆動用ロープの引出方向を、常時、円筒状中空体の軸線に対して垂直とすることが可能となる。したがって、仮に筐体の外部において駆動用ロープを任意の方向で引っ張る操作を行っても、ロープ巻回用溝における駆動用ロープの引出方向が一定の角度で保たれるため、各駆動用ロープをロープ巻回用溝から安定かつ円滑に引き出すことができる。
【発明の効果】
【００１９】
本発明のロープ駆動式進退ユニットは、駆動用ロープの引き出し操作のみで円筒状中空体を進退移動させることができ、また円筒状中空体を精度良く円滑に進退移動可能であり、衝撃等の外力に対して耐性が高く、コンパクトな構造とすることができる。
【図面の簡単な説明】
【００２０】
【図１】実施例にかかるロープ駆動式進退ユニットを一部切欠して示す一部切欠斜視図である。
【図２】実施例にかかるロープ駆動式進退ユニットにおける進出状態を示す断面図である。
【図３】実施例にかかるロープ駆動式進退ユニットにおける退避状態を示す断面図である。
【図４】実施例にかかる円柱状基体と円筒状中空体との螺合部分を示す部分拡大図である。
【図５】実施例にかかるロープ駆動式進退ユニットを窓の開閉ユニットに適用した概要説明図であり、（ａ）は窓を閉めた状態、（ｂ）は窓を開けた状態を示す。
【図６】他の実施例にかかるロープ駆動式進退ユニットを示す断面図である。
【発明を実施するための形態】
【００２１】
以下、本発明のロープ駆動式進退ユニットを具体化した実施例を詳細に説明する。なお、本発明は、下記に示す実施例に限定されることはなく、適宜設計変更が可能である。
【００２２】
図１，図２に示すように、ロープ駆動式進退ユニット１ａは、所定の基台（図示省略）に固定される円柱状基体１０と、前記円柱状基体１０に対して進退移動する円筒状中空体２０と、前記円筒状中空体２０を進退移動自在に覆う筐体３０と、を備えている。なお、ロープ駆動式進退ユニット１ａを説明するに際し、円筒状中空体２０が円柱状基体１０に対して進出する方向を先端方向とし、退避する方向を基端方向として説明することとする。
【００２３】
図２に示すように、前記円柱状基体１０は、径大な円板状の基部１１と、基部１１の一側の表面から先端方向に沿って立ち上がるように延設された円柱状の芯部１２とを具備している。また、前記芯部１２の外周面には、円柱状基体１０の軸心を中心にして形成された第一ねじ部１３が螺旋状に設けられている。
【００２４】
また、図２に示すように、前記円筒状中空体２０は、前記円柱状基体１０を被覆するように円柱状基体１０の外側に取り付けられている。具体的には、前記円筒状中空体２０の軸心と前記円柱状基体１０の軸心とが同軸上となるように円筒状中空体２０内に円柱状基体１０が内嵌されている。
【００２５】
さらに詳述すると、前記円筒状中空体２０は、先端のみ閉塞された円筒形状の筒部２１と、前記筒部２１の先端に形成された閉塞部２２から先端方向に突き出された段部２２ａと、さらに前記段部２２ａから先端方向に延設された杆状のピストン部２３と、を備えている。また、前記筒部２１の内周面には、前記した円柱状基体１０の第一ねじ部１３に螺合する第二ねじ部２４が設けられている。
【００２６】
また、前記円筒状中空体２０における前記筒部２１の外周面には、ロープ巻回用溝２５が、筒部２１の軸心を中心にして螺旋状に設けられている。さらに、前記筒部２１の略中央には、前記ロープ巻回用溝２５よりも深く切り欠かれた切欠部２６が周方向に沿って設けられ、前記切欠部２６内に、ブロック形状の部材からなるロープ固定部２７が取り付けられている。
【００２７】
そして、前記ロープ固定部２７には、第一駆動用ロープ（第一の駆動用ロープ）４１の一端と、第二駆動用ロープ（第二の駆動用ロープ）４２の一端とがそれぞれ固定されている。さらに、前記第一駆動用ロープ４１は、前記ロープ巻回用溝２５に沿って巻き付けられている。これと共に、前記第二駆動用ロープ４２は、巻き付け方向が前記第一駆動用ロープ４１と逆になるように前記ロープ巻回用溝２５に沿って巻き付けられている。
【００２８】
さらに、図１から図３に示すように、前記円筒状中空体２０における筒部２１における先端側の端面と基端側の端面とには、前記円柱状基体１０に向かって突出した凸状のストッパー２８，２８がそれぞれ設けられている。
【００２９】
ここで、図４に示すように、前記円筒状中空体２０における軸心に沿った第二ねじ部２４のピッチＰ１と、前記円筒状中空体２０におけるロープ巻回用溝２５のピッチＰ２とが、等しくなるように設定されている。勿論、前記第二ねじ部２４と螺合する前記円柱状基体１０の第一ねじ部１３のピッチも等しくなるように設定されている。
【００３０】
さらに、図１等に示すように、前記筐体３０は、筒状の本体筒部３１と、本体筒部３１の基端を閉塞する基部３２と、本体筒部３１の先端を閉塞する先端部３３とを備えている。
【００３１】
なお、図２に示すように、前記基部３２の中央には、前記円柱状基体１０の芯部１２と同径の基部側貫通穴３４が設けられており、基部側貫通穴３４に円柱状基体１０が外側から挿通され、かつ、円柱状基体１０の基部１１が基部側貫通穴３４の周縁部に突き当てられて筐体３０が円柱状基体１０に固定されている。
【００３２】
一方、前記先端部３３の中央には、先端部側貫通穴３５が設けられており、前記円筒状中空体２０におけるピストン部２３が先端部側貫通穴３５を介して先端方向に向かって突き出されている。
【００３３】
さらに、図１等に示すように、前記本体筒部３１の側壁には、第一駆動用ロープ４１の他端が本体筒部３１内から挿通される第一貫通穴（第一の貫通穴）３６が設けられている。また、前記第一貫通穴３６から離れた位置に、第二駆動用ロープ４２の他端が本体筒部３１内から挿通される第二貫通穴（第二の貫通穴）３７が設けられている。
【００３４】
さらに詳述すると、前記第一貫通穴３６は、前記第一駆動用ロープ４１が円筒状中空体２０のロープ巻回用溝２５から離れる位置に対向して設けられている。また、前記第二貫通穴３７は、前記第二駆動用ロープ４２が円筒状中空体２０のロープ巻回用溝２５から離れる位置に対向して設けられている。そして、図１等に示すように、前記第一貫通穴３６を介して前記第一駆動用ロープ４１の他端が筐体３０の外に差し出され、前記第二貫通穴３７を介して前記第二駆動用ロープ４２の他端が筐体３０の外に差し出されている。
【００３５】
また、前記筐体３０における基部３２と先端部３３とには、前記本体筒部３１内側に向かって突出した凸状のストッパー３８，３８がそれぞれ設けられている。
【００３６】
次に、前記ロープ駆動式進退ユニット１ａの作動態様について説明する。
例えば、前記第一貫通穴３６から差し出されている前記第一駆動用ロープ４１の他端が引張されて第一駆動用ロープ４１のみが前記ロープ巻回用溝２５から引き出され始めると、これに伴い、前記第一ねじ部１３と前記第二ねじ部２４とからなるねじ構造により、前記円筒状中空体２０が、前記円柱状基体１０の軸心を中心に正回転しつつ前記円柱状基体１０の軸心方向に沿って一方向（例えば先端方向）へ移動すると共に、前記円筒状中空体２０に追従して前記第二駆動用ロープ４２が、第一駆動用ロープ４１を引き出した量だけ前記ロープ巻回用溝２５に巻き込まれ始める。
【００３７】
一方、前記第二貫通穴３７から差し出されている前記第二駆動用ロープ４２の他端が引張されて第二駆動用ロープ４２のみが前記ロープ巻回用溝２５から引き出され始めると、これに伴い、前記円筒状中空体２０が、前記円柱状基体１０の軸心を中心に逆回転しつつ前記円柱状基体１０の軸心方向に沿って他方向（例えば基端方向）へ移動すると共に、前記円筒状中空体２０に追従して前記第一駆動用ロープ４１が、第二駆動用ロープ４２を引き出した量だけ前記ロープ巻回用溝２５に巻き込まれ始める。
【００３８】
ところで、図１，図２に示すように、前記円筒状中空体２０のピストン部２３が前記筐体３０から最も突出している進出状態にあっては、円筒状中空体２０のストッパー２８が筐体３０のストッパー３８に当接し、閉塞部２２の段部２２ａと筐体３０の先端部３３との間に間隙が形成されている。かかる構成により、円筒状中空体２０の最大進出位置が規定されている。そして、かかる円筒状中空体２０の最大進出位置にあっては、前記第一駆動用ロープ４１が円筒状中空体２０のロープ巻回用溝２５からほぼ引き出され、逆に第二駆動用ロープ４２はロープ巻回用溝２５に十分巻回されている。
【００３９】
一方、図３に示すように、前記円筒状中空体２０のピストン部２３が前記筐体３０を基準にして最も退避している退避状態にあっては、前記円筒状中空体２０のストッパー２８が前記筐体３０のストッパー３８に当接し、筐体３０の基部３２と円筒状中空体２０との間に間隙が形成されている。かかる構成により、円筒状中空体２０の最大退避位置が規定されている。
【００４０】
なお、上述のように、前記円筒状中空体２０の第二ねじ部２４のピッチＰ１と、前記ロープ巻回用溝２５のピッチＰ２とが同じであることから、第一駆動用ロープ４１がロープ巻回用溝２５から離れる位置と、第二駆動用ロープ４２がロープ巻回用溝２５から離れる位置とが、円柱状基体１０を基準として移動することがない。すなわち、前記筐体３０における第一貫通穴３６と第二貫通穴３７とが、各駆動用ロープ４１，４２がロープ巻回用溝２５から離れる位置に対して円筒状中空体２０の軸方向に位置がずれることがない。
【００４１】
上記したロープ駆動式進退ユニット１ａは、円筒状中空体２０に巻回された駆動用ロープ４１，４２の引き出し操作のみで前記円筒状中空体２０を進退移動させることができ、簡素でコンパクトな構造となる。また、各駆動用ロープ４１，４２の巻き付け量を調整することで、前記円筒状中空体２０の可動域を自在に変更することができる。さらに、各駆動用ロープ４１，４２の引き出し量を微調整することで、前記円筒状中空体２０の進退移動量を精度良く制御することもできる。
【００４２】
また、前記ロープ駆動式進退ユニット１ａにあっては、円筒状中空体２０を最大進出位置と最大退避位置との間に位置させることもできる。仮に、円筒状中空体２０をこのような中間位置に位置させた状態で、引張方向又は圧縮方向の衝撃が付与された場合にも、円柱状基体１０と円筒状中空体２０とが螺合しているため、円筒状中空体２０が円柱状基体１０に対して軸心方向に位置ずれし難い。すなわち、上記構成は、円筒状中空体２０を所要位置に保持する位置決め効果が非常に高い。
【００４３】
また、各駆動用ロープ４１，４２を引き出す際に、円筒状中空体２０の軸心に対して略直角の方向に各駆動用ロープ４１，４２を引き出すことができるため、各駆動用ロープ４１，４２を円滑かつ比較的小さな力で引き出すことができる。なお、前記第一貫通穴３６と前記第二貫通穴３７の開口方向を、円筒状中空体２０の軸心に対して略直角の方向とすることが好適である。
【００４４】
また、図４に示すように、前記第一ねじ部１３と前記第二ねじ部２４とが、先端側にも基端側にも互いに接した噛み合い形態であると、前記ピストン部２３に圧縮力が付与された場合にも、前記円柱状基体１０に対する前記円筒状中空体２０の軸心方向（スラスト方向）への移動が制限されるため、前記圧縮力による耐性が向上してロープ駆動式進退ユニット１ａ全体の損傷を防止することができる。なお、前記第一ねじ部１３と前記第二ねじ部２４との噛み合い形態は、他の形態でもよいが先端側にも基端側にも互いに接した噛み合い形態が好ましい。
【００４５】
これまでに述べたロープ駆動式進退ユニット１ａは、図５に示すように、窓の開閉ユニットに適用可能である。
【００４６】
さらに詳述すると、図５（ａ）に示すように、窓Ｗの窓面方向と前記ピストン部２３の軸心方向とからなる角度が、角度αとなるようにして退避状態の前記ロープ駆動式進退ユニット１ａを設置する構成が提案される。
【００４７】
かかる構成にあって、例えば第一駆動用ロープ４１を引き出して進出状態とすることで、図５（ｂ）に示すような、窓Ｗの窓面方向と前記ピストン部２３の軸心方向とからなる角度が、角度αから角度βへ変動し、窓Ｗが開放される。なお、逆に第二駆動用ロープ４２を引き出して退避状態とすると、窓Ｗが閉鎖される。
【００４８】
かかる構成にあっては、前記円筒状中空体２０の軸回りの回転運動が進退移動に変換されるため、設置環境に制限があって角度αが比較的小さく、前記円筒状中空体２０の初動に比較的大きな力が必要であっても、比較的小さな引張力で第一駆動用ロープ４１を操作して窓Ｗを開放することができる。
【００４９】
なお、前記第二ねじ部２４のピッチＰ１と、前記ロープ巻回用溝２５のピッチＰ２とは異なっていてもよいが、同じであることが好ましい。
【００５０】
次に、他の実施例にかかるロープ駆動式進退ユニット１ｂを図６に従って説明する。なお、図１から図５に従って述べたロープ駆動式進退ユニット１ａの構成と共通する点については説明を簡略又は省略する。
【００５１】
ロープ駆動式進退ユニット１ｂは、円柱状基体１０と、前記円柱状基体１０に対して進退移動する円筒状中空体２０と、を備えている。なお、ロープ駆動式進退ユニット１ｂに、前記第一貫通穴３６及び前記第二貫通穴３７が形成された前記筐体３０は含まれていない。
【００５２】
かかる構成にあって、前記円筒状中空体２０に巻回された第一駆動用ロープ４１の他端が引張されると、これに伴い前記円筒状中空体２０が、前記円柱状基体１０の軸心を中心に正回転しつつ前記円柱状基体１０の軸心方向に沿って一方向（例えば先端方向）へ移動する。一方、前記円筒状中空体２０に巻回された第二駆動用ロープ４２の他端が引張されると、これに伴い前記円筒状中空体２０が、前記円柱状基体１０の軸心を中心に逆回転しつつ前記円柱状基体１０の軸心方向に沿って他方向（例えば基端方向）へ移動する。したがって、かかる構成とすることによって前記円筒状中空体２０を各駆動用ロープ４１，４２の引き出し操作で進退移動させることができる。
【００５３】
なお、かかる構成の場合にも、前記第二ねじ部２４のピッチＰ１と、前記ロープ巻回用溝２５のピッチＰ２とは異なっていてもよいが、同じであることが好ましい。
【００５４】
なお、これまでに述べた実施例にあっては、各部材の寸法形状や材料等は用途に応じて適宜選択自在である。例えば、各駆動用ロープ４１，４２は、繊維糸からなるものや、金属製ワイヤーからなるものであってもよい。また、円柱状基体１０及び円筒状中空体２０は、ステンレス鋼、炭素鋼又は真鍮等の金属であってもよいし、ポリアセタール（ＰＯＭ）、ポリカーボネート（ＰＣ）、ＡＢＳ又はポリアミド（ＰＡ）等の樹脂であってもよい。
【００５５】
また、第一駆動用ロープ４１の他端と第二駆動用ロープ４２の他端とが互いに接合されていてもよい。
【００５６】
また、前記第一ねじ部１３と前記第二ねじ部２４との間に、潤滑剤やグリスを塗布して、前記円柱状基体１０に対する前記円筒状中空体２０の摺動性を向上させてもよい。
【００５７】
また、前記ロープ駆動式進退ユニット１ａ，１ｂは、窓Ｗの開閉機構だけでなく、栓体の開閉機構、あるいは入れ子式部材の長さ調節機構に使用されてもよい。また、子供や老人、あるいは障がい者等が操作する福祉機械器具に採用されてもよい。さらに、前記ロープ駆動式進退ユニット１ａ，１ｂは、手動で各駆動用ロープ４１，４２を引っ張る構造である必要はなく、電気式モーター等の駆動手段を用いて各駆動用ロープ４１，４２を引っ張る構造としてもよい。また、例えば、第一駆動用ロープ４１の他端と第二駆動用ロープ４２の他端とを接合した上で、前記駆動手段を構成する電動式モーターと駆動用ロープ４１，４２を連繋させ、かかる駆動手段を正逆回転させて円筒状中空体２０を進退させるようにしてもよい。
【符号の説明】
【００５８】
１ａ，１ｂ    ロープ駆動式進退ユニット
１０          円柱状基体
１３          第一ねじ部
２０          円筒状中空体
２４          第二ねじ部
２５          ロープ巻回用溝
３０          筐体
３６          第一貫通穴
３７          第二貫通穴
４１          第一駆動用ロープ
４２          第二駆動用ロープ
【図１】
0006328069.tif 000002
【図２】
0006328069.tif 000003
【図３】
0006328069.tif 000004
【図４】
0006328069.tif 000005
【図５】
0006328069.tif 000006
【図６】
0006328069.tif 000007